(57)【要約】【課題】コンタクト間に絶縁板部材を配置して隣接のコンタクトとのショートの発生を防止すると共に、絶縁板部材によってＩＣパッケージを押すことによってコンタクトへの負荷を無くし、ＩＣパッケージ挿入時の位置決め機構として利用し、ＩＣパッケージの取り出し時のコンタクトとの引っ掛りを無くすことができる。【解決手段】上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、前記コンタクトが、固定側弾性接片と可動側弾性接片とを有し、かつ中立面に対してそれぞれ左右両側に配置され、固定側弾性接片と隣接の別の組のコンタクトの可動側弾性接片との間に絶縁板部材が配置されている。【選択図】　　　　図３
2004063106.tif 000002
【特許請求の範囲】
【請求項１】
上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、
前記コンタクトは、固定側弾性接片と可動側弾性接片とを有し、かつ中立面に対して該固定側弾性接片と可動側弾性接片がそれぞれ別に左右両側に配置され、固定側弾性接片と隣接の別の組のコンタクトの可動側弾性接片との間に絶縁板部材が配置されていることを特徴とするＩＣソケット。
【請求項２】
前記コンタクトは、前記絶縁板部材が前記可動側弾性接片の側部に移動可能に配設されていることを特徴とする請求項１記載のＩＣソケット。
【請求項３】
前記カバー部材の上下動によって前記カム部材により前記移動板が横方向に動かされることを特徴とする請求項２記載のＩＣソケット。
【請求項４】
前記固定側および可動側弾性接片の先端部間に前記移動板の格子状の仕切壁が挟み込まれて配置され、該仕切壁によって前記固定側および可動側弾性接片が開閉されるように形成されていることを特徴とする請求項２記載のＩＣソケット。
【請求項５】
前記移動板は、前記ソケット本体上に横方向に移動可能に支持され、前記絶縁板部材と共に移動可能に設けられていることを特徴とする請求項１記載のＩＣソケット。
【請求項６】
前記ＩＣパッケージが、ボール・グリッド・アレイタイプのＩＣパッケージであることを特徴とする請求項１記載のＩＣソケット。
【請求項７】
上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、
前記コンタクトは、固定側弾性接片と可動側弾性接片とを有し、かつ中立面上に配置されており、前記固定側弾性接片の側部に絶縁板部材が移動可能に配置されていることを特徴とするＩＣソケット。
【発明の詳細な説明】
【０００１】
【発明の属する技術分野】
本発明は、ソケット本体のコンタクトと電子部品等のパッケージであるＩＣパッケージの外部端子との開閉を行う電子部品用ソケットに関するもので、特に、コンタクトの固体側および可動側弾性接片がＩＣパッケージの外部端子を挟み込んで接続するように適用されるオープン・トップ・タイプのＩＣソケットに係わるものである。
【０００２】
【従来の技術】
従来、電子部品としてのＩＣパッケージ等においては、ＩＣソケットのソケット本体に装着し、格子状に形成された移動板を横方向に移動して、挟み込み形のコンタクトを開閉してＩＣパッケージと接続するようにしたＩＣソケットが知られている。
【０００３】
従来におけるこのようなＩＣソケットは、挟み込み形のコンタクトが、固定側弾性接片と可動側弾性接片とをほぼ平行に延びるように配置して成り、固定側弾性接片に対して可動側弾性接片を移動板によって移動して開閉するように形成されていて、コンタクトによってＩＣパッケージの外部端子を挟み込んで接続するように構成されている。
【０００４】
このような従来のＩＣソケットの一例が図１０乃至図１６に示されており、図１０および図１１は、従来におけるＩＣソケットの挟み込み時の平面図および長手方向中央縦断面図で、図１２は、コンタクトの先端部の斜視図、図１３は、ＩＣパッケージの外部端子である半田ボールを挟み込んだ状態を示すコンタクトの先端部の立面図で、図１４は、コンタクトが開放方向に開く時の斜視図、図１５は、その時のコンタクトを押す状態を示すコンタクトの先端部の立面図で、図１６は、その時の平面図である。
【０００５】
図１０および図１１に示されるように、従来のＩＣソケット１００は、例えばオープン・トップ・タイプのソケットであって、固定のソケット本体１０２と、このソケット本体１０２に対して上下動可能にばね部材（図示しない）によって弾性支持されたカバー部材１０３と、ソケット本体１０２固設されていて装着されたＩＣパッケージ１１０の半田ボール等の外部端子１１１と電気的接続を形成する複数個の挟み込み形のコンタクト１０４と、これらコンタクト１０４を開閉する格子状の仕切壁１０９が設けられた移動板１０５と、移動板１０５を横方向に開閉作動するようにカバー部材１０３の下面から下方に垂下するくさび形のカム部材１０６とを有しており、カバー部材１０３の上下動によってカム部材１０６により移動板１０５を水平方向に移動してコンタクト１０４を開閉するように構成されている。また、コンタクト１０４は、一対の固定側弾性接片１１２と可動側弾性接片１１４とから成り、これら固定側および可動側弾性接片１１２、１１４がほぼ平行に延びるように下方の基端部において一体的に形成されていてソケット本体１０２の底部に取付けられて固着されており、この固定された基端部から上方にこれら固定側弾性接片１１２と可動側弾性接片１１４とがほぼ平行に延び、かつこれら固定側弾性接片１１２と可動側弾性接片１１４との間に移動板１０５の格子状または櫛歯状の仕切壁１０９が位置するように配設されていて固定側弾性接片１１２と可動側弾性接片１１４とが隔絶されている。しかも、これらコンタクト１０４の固定側弾性接片１１２と可動側弾性接片１１４とは、ＩＣパッケージ１１０の外部端子１１１の中心を通る中心線に対して左右別々の側に配置されていて、ずれており、固定側弾性接片１１２の側部に隣接の組のコンタクト１０４の可動側弾性接片１１４が位置されるように配置されている。
【０００６】
【発明が解決しようとする課題】
しかしながら、このような従来のくさび形のカム部材１０６を有するタイプのＩＣソケット１００においては、コンタクト１０４がＩＣパッケージ１１０の半田ボール等の外部端子１１１を挟み込んだ後に、コンタクト１０４を開放させることによって、可動側弾性接片１１４により固定側弾性接片１１２に残った半田ボール等の外部端子１１１を引き離す役割が与えられているために、必要以上にコンタクト１０４を動かしてしまって、接触以外の余分な負荷をコンタクト１０４にかけており、さらに、隣接のコンタクト１０４によって半田ボール等の外部端子１１１を押してしまうために、ＩＣパッケージ１１０の挿入状態においてショートする可能性がある等の問題が見られる。特に、コンタクト１０４の開放時にＩＣパッケージ１１０を押して動かすのは、ＩＣパッケージ１１０を取り出す際に、図１５に示されるように、ＩＣパッケージ１１０の半田ボール等の外部端子１１１がコンタクト１０４の固定側弾性接片１１２に引っ掛ってしまう等の問題がある。
【０００７】
従って、本発明の目的は、このような従来における問題を解決するために、コンタクト間に絶縁板部材を配置して隣接のコンタクトとのショートの発生を防止すると共に、絶縁板部材によってＩＣパッケージを押すことによってコンタクトへの負荷を無くし、かつまた、ＩＣパッケージ挿入時の位置決め機構として利用して、ＩＣパッケージの取り出し時のコンタクトとの引っ掛りを無くすことができるようにしたＩＣソケットを提供することにある。
【０００８】
【課題を解決するための手段】
上述の目的を達成するために、本発明のＩＣソケットは、上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、前記コンタクトが、固定側弾性接片と可動側接片とを有し、かつ中立面に対して該固定側弾性接片と可動側弾性接片がそれぞれ別に左右両側に配置され、固定側弾性接片と隣接の別の組のコンタクトの可動側弾性接片との間に絶縁板部材が配置されていることを特徴とする。
【０００９】
また、本発明のＩＣソケットは、前記コンタクトが、前記絶縁板部材が前記可動側弾性接片の側部に移動可能に配設されていることを特徴とする。
【００１０】
さらに、本発明のＩＣソケットは、前記カバー部材の上下動によって前記カム部材により前記移動板が横方向に動かされることを特徴とする。
【００１１】
さらにまた、本発明のＩＣソケットは、前記固定側および可動側弾性接片の先端部間に前記移動板の格子状の仕切壁が挟み込まれて配置され、該仕切壁によって前記固定側および可動側弾性接片が開閉されるように形成されていることを特徴とする。
【００１２】
本発明のＩＣソケットは、前記移動板が、前記ソケット本体上に横方向に移動可能に支持され、前記絶縁板部材と共に移動可能に設けられていることを特徴とする。
【００１３】
また、本発明のＩＣソケットは、前記ＩＣパッケージが、ボール・グリッド・アレイタイプのＩＣパッケージであることを特徴とする。
【００１４】
さらに、本発明のＩＣソケットは、上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、前記コンタクトが、固定側弾性接片と可動側弾性接片とを有し、かつ中立面上に配置されており、前記固定側弾性接片の側部に絶縁板部材が移動可能に配置されていることを特徴とする。
【００１５】
本発明のその他の目的や特徴および利点は、添付図面に示される本発明のＩＣソケットの実施形態についての以下の詳細な説明から明らかである。
【００１６】
【発明の実施の形態】
（実施例１）
図１乃至図６は、本発明の電子部品用ソケットとしての、例えばＩＣソケットの実施例１を示す概要説明図で、図１は、本発明のＩＣソケットの実施例１における挟み込み状態の時の平面図、図２は、図１の本発明のＩＣソケットの中央縦断面図で、図３は、本発明のＩＣソケットにおけるコンタクトの先端部分の配列状態を示すフリー状態での斜視図、図４は、図３の本発明のＩＣソケットにおけるコンタクトの先端部分を、開放（オープン）状態で示す斜視図で、図５は、本発明のＩＣソケットにおけるコンタクトの先端部分を、ＩＣパッケージの外部端子に対する開放（オープン）状態の時の立面図、図６は、図５のコンタクトの開放（オープン）状態での平面図である。
【００１７】
図１乃至図２に示されるように、本発明の実施例１における電子部品用ソケットとしてのＩＣソケット１は、電子部品としてのＩＣパッケージ１０を装着して電気的接続を形成する挟み込み形のコンタクト４を開閉すべく横方向に移動可能な移動板５を有するタイプのＩＣソケットである。
【００１８】
このような本発明のＩＣソケット１は、固定のソケット本体２と、このソケット本体２に対して上下動可能に設けられていて、１つまたは複数個のコイルばねのようなばね部材によって弾性的に支持されたカバー部材３と、ソケット本体２に基端部において固設され、かつ装着されたＩＣパッケージ１０と電気的接続を形成する複数個の挟み込み形のコンタクト４と、ソケット本体２内に配置されたコンタクト４を開閉するために格子状または櫛歯状に区画された仕切壁９が設けられた水平横方向に移動可能なスライダーのような移動板５と、移動板５を横方向に移動するための操作部材としてのカム部材６とを有している。
【００１９】
このような本発明のＩＣソケット１において、ソケット本体２は箱形または容器形をなしており、この箱形または容器形のソケット本体２の底部に、挟み込み形のコンタクト４がその基端部において固設されていて、装着されたＩＣパッケージ１０の球状または半球状の半田ボール等の外部端子１１を挟み込んで電気的接続を形成するように構成されている。また、ソケット本体２の上部には、１つ、または複数個のコイルばね等のばね部材によってカバー部材３が上下動可能に弾性支持されており、このカバー部材３の上下動に対応して、操作部材として形成されたカム部材６によって、格子状または櫛歯状の仕切壁９を有する移動板５が左右横方向に水平往復移動されるように連動されている。従って、移動板５の横方向の往復移動によってコンタクト４が開閉されるようになる。
【００２０】
このような本発明のＩＣソケット１において、コンタクト４は、一対の固定側弾性接片１２と可動側弾性接片１４とから成り、これら固定側および可動側弾性接片１２、１４がほぼ平行に延びるように下方の基端部において一体的に形成されていてソケット本体２の底部に取付けられて固着されており、この固定された基端部から上方にこれら固定側弾性接片１２と可動側弾性接片１４とがほぼ平行に延び、かつこれら固定側弾性接片１２と可動側弾性接片１４との間に移動板５の格子状または櫛歯状の仕切壁９が位置するように配設されていて固定側弾性接片１２と可動側弾性接片１４とが隔絶されている。しかも、これらコンタクト４の固定側弾性接片１２と可動側弾性接片１４とは、図６に明示されるようにＩＣパッケージ１０の外部端子１１の中心を通る中心線に対して左右別々の側に配置されていて、ずれており、固定側弾性接片１２の側部に隣接の組のコンタクト４の可動側弾性接片１４が位置されるように配置されている。
【００２１】
さらにまた、本発明のＩＣソケット１においては、固定側弾性接片１２と、その側部に配置される隣接のコンタクト４の可動側弾性接片１４との間に絶縁板部材１５が設けられており、これらコンタクト４の固定側弾性接片１２と隣接の可動側弾性接片１４とが接触してショートしないように固定側弾性接片１２と隣接の可動側弾性接片１４とを隔絶している。しかも、このような絶縁板部材１５は可動側弾性接片１４がコンタクト４を開閉すべく移動する時に一緒に移動できるように設けられている。
【００２２】
また、コンタクト４は、一方の固定側弾性接片１２が固定側のコンタクトとして形成されており、他方の可動側弾性接片１４が可動側のコンタクトとして形成されていて、固定側弾性接片１２の先端部に対して可動側弾性接片１４の先端部が近接するように可動側弾性接片１４が弾性附勢されている。さらに、このようなコンタクト４の可動側弾性接片１４は、移動板５が水平方向に横移動される時に、移動板５の仕切壁９によって横方向に押圧されるので、可動側弾性接片１４の先端部が固定側弾性接片１２の先端部から離れる方向に押されてコンタクト４が開かれるようになる。
【００２３】
また、この時に、固定側弾性接片１２は、ほぼ直立したままで実質的に固定であり、この固定側弾性接片１２に対して可動側弾性接片１４が離れる方向に押圧されて図４乃至図６に示されるように外方に向って押されるので、可動側弾性接片１４の先端部が固定側弾性接片１２の先端部から離れて外方に開かれるようになり、従って、固定側弾性接片１２と可動側弾性接片１４との先端部が開かれて図示されるような開放（オープン）状態になって、固定側弾性接片１２と可動側弾性接片１４との先端部間の間隔が図２の間隔から図５の間隔にまで大きく広げられるようになる。
【００２４】
さらに、本発明のＩＣソケット１において、操作部材としてのカム部材６は、カバー部材３の下面から下方に垂下していてスライダーとしての移動板５とカム係合しており、カバー部材３の上下動に追従して移動板５が横方向に往復移動されるようになっている。また、カム部材６は、カバー部材３の下面から下方に突出するようにくさび形の部材としてのカム部材が設けられており、このカム部材６は、傾斜カム面を有するように細長いくさび形に形成されていて、この傾斜カム面が移動板５の角部と、この角部に続く側部に当接して移動板５を横方向に押すことによって移動板５を水平横方向に移動することができるように形成されている。
【００２５】
従って、カバー部材３の上下動に追従したカム部材６の上下動によって横方向に移動された移動板５は、カバー部材３の押し下げが停止されて、カバー部材３がばね部材によって上方に押し上げられる時に、移動板５はカム部材６による押圧が解放されるために、コンタクト４の可動側弾性接片１４の弾性力によって戻されるように横移動されるので、コンタクト４の固定側弾性接片１２と可動側弾性接片１４との先端部は、間隔が狭められる方向に動かされて図３に示されるフリー状態に戻されるようになる。
【００２６】
このように、カバー部材３が押し下げられてコンタクト４が図４乃至図６に示されるオープン状態に開かれた時に、ＩＣパッケージ１０を上方から挿入してコンタクト４の上に装着して載置させておいて、次いで、カバー部材３をフリーにして、カバー部材３を上方に押し上げるばね部材のばね力による押し上げによって、コンタクト４の固定側弾性接片１２と可動側弾性接片１４との先端部間にＩＣパッケージ１０の外部端子１１が挟み込まれて保持されるために、コンタクト４とＩＣパッケージ１０とが電気的に接続されるようになる。
【００２７】
このような本発明のＩＣソケット１において、図１乃至図３にソケットフリー状態が示され、図４乃至図６にソケットオープン状態が示されている。
【００２８】
図示されるように、コンタクト４の図３のフリー状態から図４乃至図６のオープン状態へのコンタクト４の開閉に際しては、図３に示されるように、コンタクト４がフリー状態にある時に、移動板６（図２）が作動されて図示されるように横方向に移動されるために、カバー部材３が押し下げられると、操作部材としてのカム部材６の傾斜カム面が移動板５の角部に当たって移動板５が横方向に押されるために、移動板５の仕切壁９によってコンタクト４の可動側弾性接片１４が押されてコンタクト４が開かれるようになって、図４乃至図６のオープン状態になる。
【００２９】
このオープン状態において、ＩＣパッケージ１０をカバー部材３の上方から挿入してコンタクト４の先端部の上にＩＣパッケージ１０の半田ボール等の外部端子１１が位置するようにＩＣパッケージ１０を載置して、カバー部材３の押し下げを止めて放せば、カバー部材３は、押上げ用のばね部材によって上方に押し上げられ、移動板５の、カム部材６による押圧がなくなって移動板５が自由になるので、コンタクト４は先端部が閉じる方向に弾性力によって戻されるようになって移動板５が押しやられるので、コンタクト４の可動側弾性接片１４が自己弾性力によって戻って、コンタクト４の先端部間にＩＣパッケージ１０の半田ボールのような外部端子１１が挟み込まれてコンタクト４とＩＣパッケージ１０の外部端子１１とが電気的に接続されるようになる（図２）。
【００３０】
このようにＩＣソケット１に装着されたＩＣパッケージ１０を取り出すためには、上述したようにカバー部材３を再び押し下げれば、カム部材６によって移動板５が横方向に移動されてコンタクト４の可動側弾性接片１４が開かれる方向に押しやられるので、コンタクト４の先端部間が十分に開かれて可動側弾性接片１４がＩＣパッケージ１０の外部端子１１から離れるので、ＩＣパッケージ１０を掴んで取り出すことができ、必要に応じてＩＣパッケージ１０を別の新たなＩＣパッケージと交換することができる。
【００３１】
また、本発明のＩＣソケット１においては、上述したように図３のフリー状態から図４乃至図６の開放（オープン）状態にコンタクト４が開かれる際に、絶縁板部材１５がコンタクト４の可動側弾性接片１４と一緒に移動するために、固定側弾性接片１２に隣接の別の組の可動側弾性接片１４が何等接触することが無いので、ショートを発生する心配が全く無い。また、この場合に、ＩＣパッケージ１０が装着されている場合には、絶縁板部材１５がＩＣパッケージ１０の外部端子１１を押すように作用するので、固定側弾性接片１４から外部端子１１が好適に離されるようになるので、ＩＣパッケージ１０を取出す際に何等外部端子１１が固定側弾性接片１４に引っ掛ることがなく、良好にＩＣパッケージ１０の取り出しを行うことができる。
【００３２】
従って、上記のように構成された本発明のＩＣソケット１においては、カバー部材３の押し下げによって、操作部材としてのカム部材６を介してコンタクト４の開閉操作が容易にでき、しかも、コンタクト４が良好にＩＣパッケージ１０の外部端子１１と接触でき、かつ開放（オープン）時の移動板５によるコンタクト４の引き離しを絶縁板部材１５を介して良好に行って、ＩＣパッケージ１０の取り出しや挿入を容易にすることができ、実装作業の効率を向上し、かつ改善してＩＣソケット１の寿命を延ばすことが出来る。しかも、常に安定したコンタクト開放量を維持でき、コンタクト開放量が決め易く、軽操作性に優れ、種々のコンタクトに広く対応でき、ＩＣパッケージ１０の外部端子１１がコンタクト４に引っ掛ることが全く無い。また、使用されるＩＣパッケージ１０には、ボール・グリッド・アレイ・タイプのＩＣパッケージを好適に用いることができる。
【００３３】
（実施例２）
図７乃至図９は、本発明のＩＣソケットの実施例２を示す図で、コンタクト開閉機構の例を示すコンタクトの先端部分のフリー状態での斜視図と、オープン状態での斜視図と平面図である。
【００３４】
図示されるように、本発明のこの実施例２におけるコンタクト開閉機構が用いられるＩＣソケット自体の構成は、基本的には実施例１のＩＣソケットと同一であり、ここでは、その詳細な説明は省略するものとする。
【００３５】
図示されるように、本発明のこの実施例２においては、コンタクト開閉機構としてコンタクト２４と一緒に絶縁板部材３５が用いられており、コンタクト２４が、固定側弾性接片３２と可動側弾性接片３４とから構成されていて、可動側弾性接片３４と一緒に移動できるように絶縁板部材３５が、固定側弾性接片３２の側部に隣接して設けられている。従って、コンタクト２４の開放（オープン）時には、フリー状態や閉合状態から開放（オープン）状態にコンタクト２４が作動される場合に、絶縁板部材３５が、コンタクト２４の可動側弾性接片３４と共に移動されて、装着されているＩＣパッケージの外部端子３１に絶縁板部材３５が当接して外部端子３１を押すように作用するので、ＩＣパッケージの外部材端子３１を固定側弾性接片３２から離すように作用して、外部端子３１が固定側弾性接片３２に引っ掛るのを良好に防止すると共に、固定側弾性接片３２に隣接の別の組の可動側弾性接片３４が接触するのを防止して、ショートが発生するのを阻止することができる。
【００３６】
【発明の効果】
以上説明したように、本発明の請求項１記載のＩＣソケットは、上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、前記コンタクトが、固定側弾性接片と可動側弾性接片とを有し、かつ中立面に対して該固定側弾性接片と可動側弾性接片がそれぞれ別に左右両側に配置され、固定側弾性接片と隣接の別の組のコンタクトの可動側弾性接片との間に絶縁板部材が配置されているので、絶縁板部材によって固定側弾性接片と隣接の可動側弾性接片との接触を防いでショートの発生を防止すると共に、絶縁板部材によってＩＣパッケージを押すことによってコンタクトへの負荷を無くし、ＩＣパッケージ挿入時の位置決め機構として利用し、オープン時にＩＣパッケージを押してＩＣパッケージ取り出し時のコンタクトとの引っ掛りを無くすことができる。
【００３７】
本発明の請求項２記載のＩＣソケットは、前記コンタクトが、前記絶縁板部材が前記可動側弾性接片の側部に移動可能に配設されているので、隣接のコンタクトとのショートの発生を防止すると共に、絶縁板部材によってＩＣパッケージを押すことによってコンタクトへの負荷を無くし、ＩＣパッケージ挿入時の位置決め機構として利用して、ＩＣパッケージの取り出し時のコンタクトとの引っ掛りを無くすことができる。
【００３８】
本発明の請求項３記載のＩＣソケットは、前記カバー部材の上下動によって前記カム部材により前記移動板が横方向に動かされるので、コンタクトの開閉作動を良好に行ってコンタクトを好適に開閉することができる。
【００３９】
本発明の請求項４記載のＩＣソケットは、前記固定側および可動側弾性接片の先端部間に前記移動板の格子状の仕切壁が挟み込まれて配置され、該仕切壁によって前記固定側および移動側弾性接片が開閉されるように形成されているので、コンタクトの開閉作動と絶縁板部材とを好適に作動でき、コンタクトを良好に開閉することができる。
【００４０】
本発明の請求項５記載のＩＣソケットは、前記移動板が、前記ソケット本体上に横方向に移動可能に支持され、前記絶縁板部材と共に移動可能に設けられているので、コンタクトの開閉作動と絶縁板部材とを好適に作動でき、かつコンタクトを良好に開閉することができる。
【００４１】
本発明の請求項６記載のＩＣソケットは、前記ＩＣパッケージが、ボール・グリッド・アレイタイプのＩＣパッケージであるので、好適にソケットを製作することができると共に、ＩＣパッケージの外部端子を良好に挟み込み接続することができる。
【００４２】
本発明の請求項７記載のＩＣソケットは、上下動可能なカバー部材と、装着されたＩＣパッケージと電気的接続を形成する複数個の挟み込み形のコンタクトと、該コンタクトが固設されるソケット本体と、前記コンタクトを、間隔を置いて保持する移動板とを有するＩＣソケットにおいて、前記コンタクトが、固定側弾性接片と可動側接片とを有し、かつ中立面上に配置されており、前記固定側弾性接片の側部に絶縁板部材が移動可能に配置されているので、オープン時にＩＣパッケージを押して取り出す際のコンタクトの引っ掛りを良好に防止することができる。
【図面の簡単な説明】
【図１】本発明のＩＣソケットの実施例１におけるコンタクトの閉合状態での平面図である。
【図２】図１の本発明のＩＣソケットの中央縦断面図である。
【図３】本発明のＩＣソケットにおけるコンタクトの先端部分の配列状態を示すフリー状態での斜視図である。
【図４】本発明のＩＣソケットにおけるコンタクトの先端部分のオープン状態での斜視図である。
【図５】本発明のＩＣソケットにおけるコンタクトの先端部分のオープン状態での、ＩＣパッケージの外部端子に対する立面図である。
【図６】図５のコンタクトのオープン状態での平面図である。
【図７】本発明のＩＣソケットの実施例２におけるフリー状態でのコンタクトの先端部分を示す斜視図である。
【図８】図７のコンタクトの先端部分のオープン状態での斜視図である。
【図９】図８のコンタクトの先端部分とＩＣパッケージの外部端子の平面図である。
【図１０】従来のＩＣソケットのコンタクト閉合状態での平面図である。
【図１１】図１０のＩＣソケットの中央縦断面図である。
【図１２】従来のＩＣソケットにおけるコンタクトの先端部分のフリー状態での斜視図である。
【図１３】従来のＩＣソケットにおけるコンタクトの先端部分のＩＣパッケージの外部端子に対する閉合状態での断面部分図である。
【図１４】従来のＩＣソケットのコンタクトの先端部分の開放状態での斜視図である。
【図１５】従来のＩＣソケットのコンタクトの先端部分のＩＣパッケージの外部端子に対するオープン状態での断面部分図である。
【図１６】図１５のＩＣソケットのコンタクトとＩＣパッケージの外部端子の平面図である。
【符号の説明】
１　　　ＩＣソケット
２　　　ソケット本体
３　　　カバー部材
４　　　コンタクト
５　　　移動板
６　　　カム部材
９　　　仕切壁
１０　　ＩＣパッケージ
１１　　外部端子
１２　　固定側弾性接片
１４　　可動側弾性接片
１５　　絶縁板部材
２４　　コンタクト
３１　　外部端子
３２　　固定側弾性接片
３４　　可動側弾性接片
３５　　絶縁板部材
【図１】
2004063106.tif 000003
【図２】
2004063106.tif 000004
【図３】
2004063106.tif 000005
【図４】
2004063106.tif 000006
【図５】
2004063106.tif 000007
【図６】
2004063106.tif 000008
【図７】
2004063106.tif 000009
【図８】
2004063106.tif 000010
【図９】
2004063106.tif 000011
【図１０】
2004063106.tif 000012
【図１１】
2004063106.tif 000013
【図１２】
2004063106.tif 000014
【図１３】
2004063106.tif 000015
【図１４】
2004063106.tif 000016
【図１５】
2004063106.tif 000017
【図１６】
2004063106.tif 000018